(57)【要約】      （修正有）【課題】携帯電話と交通機関の定期券、改札用非接触型記憶媒体等の改札用媒体のケースを一体とし、使い勝手を良くした携帯電話収納ケースを提供する。【解決手段】携帯電話収納ケースの基片５ａに携帯電話１の操作部本体２を保持し、操作部本体２と基片５ａ間にそのまま、又は収納部を設けて改札用媒体６を収納した。基片５ａは透明又は電磁波をとおす材料が用いられる。携帯電話１を折りたたみ、更にカバー片５ｂを折りたたんだ状態で改札用媒体が認識できる。【選択図】図１
0003158705.tif 000002
【実用新案登録請求の範囲】
【請求項１】
折りたたんで携帯電話がかくれるように丁度収納される二つ折りの収納ケースであって、
開いた状態で携帯電話のキーの操作部を操作可能に携帯電話を内部側に保持する基片と、基片の一辺から折曲して閉じた状態で前記基片と併せて携帯電話をかくれるように覆うカバー片とを有し、閉じた状態で外部から交通機関の改札用媒体を認識可能に前記改札用媒体の収納部を基片又はカバー片に有することを特徴とする携帯電話収納ケース。
【考案の詳細な説明】
【技術分野】
【０００１】
この考案は携帯電話及び定期券、パスモ、スイカ（登録商標）等のＩＣ記録乗車券の何れかを収納する携帯電話収納ケースに関する。
【背景技術】
【０００２】
例えば特許文献１、２に示すように携帯電話を収納するケースは多数提案されている。一方、定期券、改札用非接触型記録媒体（交通機関の改札用媒体例えばパスモ、スイカ（登録商標）がある）を収納する定期券入れ類がある。定期券入れは札入れ兼用のものが多い。非接触型記録媒体を収納する収納容器としては特許文献３がある。携帯電話ケースにメモ用紙と筆記用具を付属させる提案は特許文献４に開示されている。
【０００３】
このように、従来は携帯電話、交通機関の改札用媒体は別々のケースに収納して携行している。
【先行技術文献】
【特許文献】
【０００４】
特許文献1    登録実用新案第３０６０８２１号
特許文献２    登録実用新案第３０６７７３２号
特許文献３    特開２００５−１２８９３２
特許文献４    登録実用新案第３１０８５５７号
【非特許文献】
【０００５】
なし
【考案の概要】
【考案が解決しようとする課題】
【０００６】
上述しましたように、携帯電話収納ケースと交通機関の改札用媒体収納ケースは別個になっているので携行に不便な点がある。即ち、改札をとおる度に衣服ポケット又はカバン類から前記改札用媒体の出し入れをしなければならないし、携帯電話を使用するときは同様に出し入れが必要である。
【０００７】
外出時は携帯電話を携行すると共に交通機関の改札用記録媒体を携行するのが通常のことである。
【０００８】
この考案は衣服又はカバン類から携帯電話と交通機関の改札用記録媒体を選択することなく取り出せる携帯電話収納ケースを提供することを目的とする。
【課題を解決するための手段】
【０００９】
本考案は折りたたんで携帯電話がかくれるように丁度収納される二つ折りの収納ケースであって、
開いた状態で携帯電話のキーの操作部を操作可能に携帯電話を内部側に保持する基片と、基片の一辺から折曲して閉じた状態で前記基片と併せて携帯電話をかくれるように覆うカバー片とを有し、閉じた状態で外部側から交通機関の改札用媒体を認識可能に前記改札用媒体収納部を基片又はカバー片に有することを特徴とする携帯電話収納ケースである。
【考案の効果】
【００１０】
この考案によれば、改札口を通過するとき携帯電話収納ケースを閉じたまま交通機関の改札用記録媒体が認識されるので、収納ケースを開いて示すわずらわしさがない。カバー片を開くだけで携帯電話を使用できる。
【図面の簡単な説明】
【００１１】
【図１】この考案の実施例１の開いた状態を示す斜視図である。
【図２】この考案の実施例１の閉じた状態を示す斜視図である。
【図３】この考案の実施例２の開いた状態を示す斜視図である。
【図４】この考案の実施例２の閉じた状態を示す斜視図である。
【図５】この考案の実施例２の閉じた状態を示す斜視図である。
【実施例】
【００１２】
以下、図面に従ってこの考案の実施例の説明をする。
【００１３】
実施例において、携帯電話収納ケースの内部側とはこのケースに収納された携帯電話に接する側をいい、外部側とは反対側の面をいう。
【００１４】
（実施例１）
図１に全体を符号１で示す携帯電話は操作部本体２とデイスプレイ・受話部（以下デイスプレイ部と称す）３がヒンジ４を中心に回動して操作部本体２の表面に設けた操作キー２ａと夫々デイスプレイ部３の表面に設けたデイスプレイ３ｂ、及び受話部３ａが対向接近して二つに折りになる。
【００１５】
携帯電話収納ケース５は全体としては面状で基辺５ａとカバー片５ｂが幅ｔの折曲部５ｃでつながれている。ここで幅ｔは上述でのべた後の二つに折りとされた携帯電話１の全体の厚さと等しいか、わずかに大きい。基片５ａの図１に見える内部側には携帯電話１を保持する保持部が設けてある。この保持部は操作部本体２の下部を保持する下部保持部５ｄと操作部本体２の上部を保持する上部保持部５ｅを有する。下部保持部５ｄは基片５ａの一部と併せて上方に向って開口した浅い箱状である。上部保持部５ｅは両端が夫々基片５ａに固定され操作部本体２を取り囲む帯状である。下部保持部５ｄ、上部保持部５ｅは夫々操作キー２ａ（上部の機能キー、下部のマトリクスキー）の操作を妨げない位置に配設してある。
【００１６】
携帯電話１は操作部本体２を上部保持部５ｅを通過させて下部保持部５ｄに操作部本体２の下端を収容する。これによって、携帯電話１は携帯電話収納ケース５に保持されたまま、操作キー２ａが露出して操作できるので使用可能になっている。従って、携帯電話１使用の際に、収納ケース５から取り出す必要がない。
【００１７】
図１において基片５ａと操作部本体２の背面間には交通機関の改札用媒体６が取り外し可能に挿入される。交通機関の改札用媒体６とは例えば定期券、パスモ、スイカ（登録商標）と呼称される自動改札機に作用され用いられるＩＣカードの１種である非接触型記録媒体がある。
【００１８】
上記において改札用媒体６として定期券が用いられる用途の場合は図２に示すように基片５ａには窓部（開口部）５ａ１が設けてある。開口部５ａ１の縁には透明フィルム７の縁が固着されている。これによって、基片５ａの内部側に収容された定期券は携帯電話１を収納ケース５に格納したまま認識される。改札用媒体６として非接触型記憶媒体を用いる場合は、透明フィルム７が電磁波を透過するものであるから窓部５ａ１はあっても差支えないが窓部５ａ１がなく基片５ａは一様なシートであって電磁波を透過する材料、例えば合成樹脂、皮革等であってもよい。ここで携帯電話収納ケース５は皮革、合成皮革、織物等の柔軟なシート材で作成されている。
【００１９】
基片５ａと操作部本体２間に挿入された改札用媒体６が非接触型記憶媒体である場合は、改札用媒体６と操作部本体２ａ間に電磁波シールド材（図示されない）を挿入しておくことが望ましい。
【００２０】
基片５ａの内部側に改札用媒体６を収納できる袋状のポケットを設けてもよい（図示されない）。この場合にポケットは電磁波シールド材で作成することが望ましい。
【００２１】
携帯電話１と非接触型記録媒体である改札用媒体６との間に電磁波を遮断できる部材を配設することにより、自動改札機と携帯電話との間の電波干渉を防止できる。
【００２２】
図１の状態で携帯電話１を使用できる。ヒンジ４を中心にしてデイスプレイ部３を回動して操作部本体２と重ねた後に折曲部５ｃを中心側としてカバー片５ｂを回動して携帯電話１に重ねる。図２の状態では基片５ａを自動改札機に近接させることにより改札される。また定期券の場合はそのまま基片５ａの外部側を提示すればよい。
【００２３】
なお、図１においてカバー片５ｂは基片５ａの左側にあるが、右側に設ける勝手にしてもよい。
【００２４】
この実施例において携帯電話１が折りたためない一体式の場合は、携帯電話収納ケース５の基片５ａ、カバー片５ｂ、折曲部５ｃ、夫々の図１において上下方向の長さは携帯電話１の長手方向の長さとほぼ同一となる。折曲部５ｃは携帯電話１の側端に来る。
【００２５】
図１においてカバー片５ｂ側に単独又は基片５ａと併せて改札用媒体６を収容するポケット状の収容部８を設けてもよい。この収容部８の図１を見る側又はカバー片５ｂの外部側に開口する窓を設けて外部側を透明フィルムで蔽うようにしてもよい。
【００２６】
この場合収容部８に定期券と非接触型記憶媒体を重ねて収納すると、携帯電話１を収納した状態で定期券か非接触型記憶媒体の何れかの改札用媒体６を認識できると共にカバー片５ｂを開くと他の改札用媒体６が認識できる。
（実施例２）
図３は実施例２を示す。実施例１と異なる分部のみ説明する。
実施例１と異なる点はカバー片５ｂが基片５ａとはヒンジ４に沿う方向に長い折曲部５ｃを介してカバー片５ｂが結合されている。カバー片５ｂはデイスプレイ部３の外部側を蔽っている。基片５ａの内部側には改札用媒体６が前実施例と同様に収納される。
【００２７】
この実施例において、折りたためない携帯電話に用いられる収納ケース５は基片５ａ、カバー５ｂが夫々携帯電話１の長手方向の長さよりわずかに大であり、折曲部５ｃは図３において携帯電話１の上端又は下端側に来る。
【００２８】
図４は改札用媒体６が定期券である場合に基片５ａに外部側に向って開口する窓部５ａ１が設けられ、窓部５ａ１は透明フイルム７で蔽われている。
【００２９】
図５は改札用媒体６が定期券である場合にカバー片５ｂに外部側に向って開口する窓部５ｂ１を設けたものである。
【００３０】
実施例１，２共に基片５ａの窓部５ａ１、カバー片５ｂの窓部５ｂ１の何れか１つを設けることで足りる。そして、基片５ａ、カバー片５ｂに夫々改札用媒体６は収納可能とし（携帯電話１の背面と接する基片５ａは格別に収納部を設けなくても改札用媒体６が収納できることは既にのべた）、少なくとも一方の前記収納部のある基片５ａ又は改札用媒体６の収納部を設けたカバー片５ｂに窓部５ａ１，５ｂ１の少なくとも１を設けておくと、一方に定期券、他方に改札用非接触型記憶媒体を収納でき、且つ何れの場合にも、収納ケースを折りたたんだ携帯電話を収納したまま、改札に用いることができる。
【００３１】
実施例の携帯電話、改札用媒体の収納部に加えて収納ケース５の内部側に名刺入れを備えると便利性は更に向上する。
【００３２】
なお、パスモを認識するために収納ケース５に小穴をあけてもよい。
【符号の説明】
【００３３】
１…携帯電話
２…操作部本体  ２ａ…操作キー
３…デイスプレイ部  ３ａ…受話部  ３ｂ…デイスプレイ部
４…ヒンジ
５…携帯電話収納ケース  ５ａ…基片  ５ａ１…窓部  ５ｂ…カバー片  ５ｂ１…窓部  ５ｃ…折曲部    ５d…下部保持部  ５ｅ…上部保持部  
６…改札用媒体
７…透明フィルム
８…収容部
ｔ…幅
【図１】
0003158705.tif 000003
【図２】
0003158705.tif 000004
【図３】
0003158705.tif 000005
【図４】
0003158705.tif 000006
【図５】
0003158705.tif 000007